(57)【特許請求の範囲】
【請求項１】
先端側に外歯を有するポールと、内周側に内歯を有する円環状でシートバックまたはシートクッションに結合されるラチェットと、前記ポールを前記ラチェットの内歯に対して進退可能に保持し前記シートクッションまたはシートバックに結合されるホルダと、前記ポールを受承し同ポールを前進方向に押圧して前記ラチェットに噛合させるとともに任意の操作力により動作して前記ポールに対する押圧力を解除して同ポールと前記ラチェットの噛合状態を解除するカム体と、前記カム体が嵌合する支持軸上に一体回転可能に組付けられ回動操作により前記カム体を動作して前記ポールの前記ラチエットに対する噛合状態を解除するロック解除用の第１の操作レバーを備え、前記ポールと前記ラチェットの噛合時には同ラチェットと前記ホルダの相対回転を規制し、かつ、前記ポールと前記ラチェットの噛合解除時には同ラチェットと前記ホルダの相対回転を許容するリクライニング装置であり、当該リクライニング装置は、前記ラチェットの前記ホルダに対する相対回転角度を記憶すべき位置では前記ポールの前記ラチェットに対する噛合を許容するとともにその他の位置では噛合を規制するメモリ手段と、前記シートバックの前方への傾倒動作に応じて前記メモリ手段を前記ラチェットに連結する連結手段と、前記ラチェットが記憶位置に復帰するまでは前記連結手段による連結を保持し復帰時には連結を解除する保持手段と、前記支持軸上に前記第１の操作レバーと並列して回転可能に組付けられ回動操作の途中で前記連結手段を動作するとともに、同第１の操作レバーに係合して同第１の操作レバーを同方向へ一体的に回動させる前倒し用の第２の操作レバーを備え、前記メモリ手段は、前記ラチェットの前記ホルダに対する相対回転角度を記憶すべき位置では前記ポールの前記ラチェットに対する噛合を許容し、その他の位置では前記ポールと係合して噛合を規制するものであり、かつ、前記連結手段は、前記第２の操作レバーの回動動作に応じて動作して、前記メモリ手段を前記ホルダ側から前記ラチェット側に軸方向へ移動して同ラチェットに連結して同ラチェットと互いに同期的に回転させることを特徴とするリクライニング装置。
【請求項２】
請求項１に記載のリクライニング装置において、前記メモリ手段は、前記ポールに設けた突起部の周方向への移動を許容する通路を形成する溝を有するメモリプレートであって、前記ラチェットの前記ホルダに対する相対回転角度を記憶すべき位置では前記ポールの前記ラチェットに対する噛合を許容する幅広の溝部を有し、その他の位置では前記ポールの突起部と係合して噛合を規制する幅狭の溝部を有するものであり、前記連結手段は、前記シートバックの前方への傾倒動作に応じて動作して前記メモリ手段を前記ラチェット側に移動して同ラチェットに連結する押圧手段であって、連結した前記メモリ手段を前記ラチェットと同期的に回転させるものであり、前記保持手段は、前記メモリ手段を前記ラチェットとの連結を解除する方向に付勢するばねと、記憶位置でのみ前記メモリ手段と前記ホルダとの間で互いに嵌合して前記メモリ手段を前記連結手段による連結状態から解除するとともに前記メモリ手段を前記ホルダと相対回転しないようにし、記憶位置以外では前記ばねの付勢力に抗して前記メモリ手段を前記連結手段による連結状態に保持する嵌合部を有するものであることを特徴するリクライニング装置。
【請求項３】
請求項２に記載のリクライニング装置において、前記ラチェットは前記円環状の内周側に壁部を有し、同壁部と前記ポールとの間に前記メモリ手段および前記ばねが配置されていることを特徴とするリクライニング装置。
【請求項４】
請求項２または３に記載のリクライニング装置において、前記メモリ手段を構成するメモリプレートは外周縁に外歯を有し、同外歯は前記ラチェットの内歯に隣接して設けた内歯に噛合可能に形成されて前記連結手段を構成していることを特徴とするリクライニング装置。
【請求項５】
請求項１〜４のいずれか一項に記載のリクライニング装置において、前記ポールは、前記シートバックの傾倒動作時と角度調整動作時の前記ラチェットに対する噛合の解除動作が連動していることを特徴とするリクライニング装置。
【発明の詳細な説明】
【０００１】
【発明の属する技術分野】
本発明はリクライニング装置に関し、特に、メモリ機構付きのリクライニング装置に関する。
【０００２】
【従来の技術】
一般に、シートバックを前方へ傾倒し得るリクライニングシートにおいては、前方へ傾倒状態にあるシートバックを起立状態に復帰させる場合には、シートバックは、リクライニング装置に設定されている初段ロック位置に復帰するように構成されている。このため、シートバックを任意のロック位置にてロックして起立させている使用状態において、シートバックを前方へ傾倒状態にした後に、元の起立状態に復帰させる場合、一旦初段ロック位置に復帰させたシートバックを位置調整する必要があって使い勝手がよくない。
【０００３】
このため、シートバックを前方へ傾倒する際のシートバックの起立位置を記憶するメモリ機構を備えたリクライニング装置が、例えば特開平１１−７００２８号公報に提案されている。当該リクライニング装置を備えるリクライニングシートにおいては、メモリ機構が前方へ傾倒する際のシートバックの起立位置を記憶していて、前方へ傾倒状態にあるシートバックを起立状態に復帰させる場合には、メモリ機構がシートバックをその記憶位置に誘導して、シートバックを前方へ傾倒する際の起立位置に復帰させるものである。
【０００４】
従って、このようなメモリ機構付きのリクライニング装置によれば、使い勝手のよいリクライニングシートを構成することができる。
【０００５】
【発明が解決しようとする課題】
しかしながら、従来のメモリ機構付きのリクライニング装置は、上記した公報に提案されているリクライニング装置からも明らかなように、メモリプレート、メモリカム、メモリスラグ等の多数の構成部材からなるもので、これらの部材が複雑な形状に形成されていることから、リクライニング装置の内部構造が複雑になるとともに、組付け性に大きな問題があり、しかも、装置が必然的に大型化するとともに重量が増大することになる。
【０００６】
従って、本発明の目的は、既存のリクライニング装置の内部構造を有効に利用してわずかな部材を追加することにより、内部構造が簡単なメモリ機構付きのリクライニング装置を提供することにある。
【０００７】
本発明はリクライニング装置に関するもので、先端側に外歯を有するポールと、内周側に内歯を有する円環状でシートバックまたはシートクッションに結合されるラチェットと、前記ポールを前記ラチェットの内歯に対して進退可能に保持し前記シートクッションまたはシートバックに結合されるホルダと、前記ポールを受承し同ポールを前進方向に押圧して前記ラチェットに噛合させるとともに任意の操作力により動作して前記ポールに対する押圧力を解除して同ポールと前記ラチェットの噛合状態を解除するカム体と、前記カム体が嵌合する支持軸上に一体回転可能に組付けられ回動操作により前記カム体を動作して前記ポールの前記ラチエットに対する噛合状態を解除するロック解除用の第１の操作レバーを備え、前記ポールと前記ラチェットの噛合時には同ラチェットと前記ホルダの相対回転を規制し、かつ、前記ポールと前記ラチェットの噛合解除時には同ラチェットと前記ホルダの相対回転を許容する形式のリクライニング装置を適用対象とするものである。
【０００８】
しかして、本発明に係るリクライニング装置においては、前記ラチェットの前記ホルダに対する相対回転角度を記憶すべき位置では前記ポールの前記ラチェットに対する噛合を許容するとともにその他の位置では噛合を規制するメモリ手段と、前記シートバックの前方への傾倒動作に応じて前記メモリ手段を前記ラチェットに連結する連結手段と、前記ラチェットが記憶位置に復帰するまでは前記連結手段による連結を保持し復帰時には連結を解除する保持手段と、前記支持軸上に前記第１の操作レバーと並列して回転可能に組付けられ回動操作の途中で前記連結手段を動作するとともに、同第１の操作レバーに係合して同第１の操作レバーを同方向へ一体的に回動させる前倒し用の第２の操作レバーを備え、前記メモリ手段は、前記ラチェットの前記ホルダに対する相対回転角度を記憶すべき位置では前記ポールの前記ラチェットに対する噛合を許容し、その他の位置では前記ポールと係合して噛合を規制するものであり、かつ、前記連結手段は、前記第２の操作レバーの回動動作に応じて動作して前記メモリ手段を前記ホルダ側から前記ラチェット側に軸方向へ移動して同ラチェットに連結して同ラチェットと互いに同期的に回転させることを特徴とするものである。
【０００９】
本発明に係るリクライニング装置においては、前記メモリ手段は、前記ポールに設けた突起部の周方向への移動を許容する通路を形成する溝を有するメモリプレートであって、前記ラチェットの前記ホルダに対する相対回転角度を記憶すべき位置では前記ポールの前記ラチェットに対する噛合を許容する幅広の溝部を有し、その他の位置では前記ポールの突起部と係合して噛合を規制する幅狭の溝部を有するものであり、前記連結手段は、前記シートバックの前方への傾倒動作に応じて動作して前記メモリ手段を前記ラチェット側に移動して同ラチェットに連結する押圧手段であって、連結した前記メモリ手段を前記ラチェットと同期的に回転させるものであり、前記保持手段は、前記メモリ手段を前記ラチェットとの連結を解除する方向に付勢するばねと、記憶位置でのみ前記メモリ手段と前記ホルダとの間で互いに嵌合して前記メモリ手段を前記連結手段による連結状態から解除するとともに前記メモリ手段を前記ホルダと相対回転しないようにし、記憶位置以外では前記ばねの付勢力に抗して前記メモリ手段を前記連結手段による連結状態に保持する嵌合部を有する構成とすることができる。
【００１０】
また、本発明に係るリクライニング装置においては、前記ラチェットは前記円環状の内周側に壁部を有し、同壁部と前記ポールとの間に前記メモリ手段および前記ばねが配置されている構成とすることができる。
【００１１】
また、本発明に係るリクライニング装置においては、前記メモリ手段を構成するメモリプレートは外周縁に外歯を有し、同外歯は前記ラチェットの内歯に隣接して設けた内歯に噛合可能に形成されて前記連結手段を構成している構成とすることができる。
【００１２】
また、本発明に係るリクライニング装置においては、前記ポールは、前記シートバックの傾倒動作時と角度調整動作時の前記ラチェットに対する噛合の解除動作が連動する構成とすることができる。
【００１４】
【発明の作用・効果】
本発明に係るリクライニング装置においては、シートバックの起立状態から前方への傾倒動作に応じてポールとラチェットとの噛合を規制し、かつ、シートバックの傾倒状態から元の起立状態へ復帰した際にはポールとラチェットとの噛合を許容する機能を備えている。このため、当該リクライニング装置によれば、シートバックを傾倒状態から起立状態に復帰させる場合、シートバックを倒覆前の起立位置に確実に復帰させることができる。かかる機能を有する機構は簡単な構成とすることができて、内部構造が簡単なメモリ機構付きのリクライニング装置を構成することができるとともに、メモリ機構を内蔵させることによる装置の大型化および装置の重量増大を抑制することができる。
【００１５】
本発明に係るリクライニング装置の基本的な態様では、メモリ手段を構成するメモリプレートがホルダ側に連結している場合には、ポールはラチェットの内歯に対する進退を許容されているため、カム体の動作により、ポールをラチェットの内歯に噛合させ、かつ、その噛合を解除させることができる。これにより、リクライニングシートのシートバックを所望の位置に調整して起立状態に保持することができる。
【００１６】
当該リクライニング装置においては、メモリ機構を構成するメモリプレートがラチェット側に連結すると、メモリプレートはポールのラチェットに対する噛合位置を記憶した状態でラチェット側に連結される。また、この連結状態では、ポールのラチェットの内歯に対する進退を規制され、かつ、ポールによるメモリプレートの回転規制が解かれて、シートバックの前方への傾倒時には、メモリプレートはポールのラチェットに対する噛合位置を記憶した状態でラチェットと一体に回転して、シートバックの前方への傾倒を許容する。
【００１７】
また、前方へ傾倒状態にあるシートバックを起立復帰させる場合には、シートバックの後方への回動により、メモリプレートはラチェットと一体に回転する。メモリプレートが、ポールのラチェットに対する噛合位置を記憶した位置に回転復帰すると、メモリプレートの連結がラチェット側からホルダ側に切替わるとともに、ポールはラチェットの内歯に対する進退を許容され、ポールがラチェットに噛合してシートバックを前方へ傾倒する際のロック位置の起立状態に復帰させる。
【００１８】
このように、当該リクライニング装置によれば、使い勝手のよいリクライニングシートを構成することができるが、当該リクライニング装置を構成するメモリ機構は、１枚のメモリプレートを主要構成部材として、既存のリクライニング装置の内部構造を有効に利用して構成されている。このため、内部構造が簡単なメモリ機構付きのリクライニング装置を構成することができるとともに、メモリ機構を内蔵させることによる装置の大型化および装置の重量増大を抑制することができる。
【００１９】
【発明の実施の形態】
以下、本発明を図面に基づいて説明する。図１は本発明の一例に係るリクライニング装置の一部省略縦断正面図、図２は当該リクライニング装置における図１の２−２線での縦断面図、図３は当該リクライニング装置における図１の３−３線での縦断面図、図４は当該リクライニング装置を分解した斜視図である。
【００２０】
当該リクライニング装置Ｒは、固定円盤１１、可動円盤１２、支持軸１３、ロック解除用の第１操作レバー１４、カムプレート１５、２個のスライドポール１６、操作アーム１７、メモリプレート１８、板バネ１９、スパイラルスプリング２１、セットプレート２２、３本の押圧ピン２３、および前倒し用の第２操作レバー２４にて構成されている。かかる構成において、固定円盤１１は本発明におけるホルダに相当し、可動円盤１２は本発明におけるラチェットを具備し、カムプレート１６は本発明におけるカム体に相当する。また、メモリプレート１８、板バネ１９、および各押圧ピン２３は、本発明におけるメモリ機構を構成するもので、板バネ１９および各押圧ピン２３は、当該メモリ機構における連結手段を構成する。
【００２１】
当該リクライニング装置Ｒにおいて、固定円盤１１と可動円盤１２は互いに対向して重合されていて、可動円盤１２側から嵌合されたセットプレート２２の外周縁部をかしめることにより、一体的に結合されている。カムプレート１５、各スライドポール１６、操作アーム１７、メモリプレート１８、板バネ１９およびスパイラルスプリング２１は、後述するように、固定円盤１１と可動円盤１２が形成する収容空間部に収容された状態で、これらの構成部材の中央部を貫通する支持軸１３に直接的に、または構成部材を介して間接的に支持されている。支持軸１３の外端部には、第１操作レバー１４および第２操作レバー２４が取付けられている。当該リクライニング装置Ｒにおいては、その固定円盤１１をシートクッションの後端部に取付けられるロアアームＡ1に組付けられ、かつ、その可動円盤１２をシートバックの下端部に取付けられるアッパアームＡ2に組付けられて、シートバックをシートクッションに前後方向へ回動可能に支持して、リクライニングシートを構成する。
【００２２】
当該リクライニング装置Ｒを構成する固定円盤１１は、図２〜図４に示すように、円盤本体１１ａの内側に段付きの円形凹所１１ｂを備え、円形凹所１１ｂ内には、十字状に交差して縦横に延びるガイド溝１１ｃが形成されている。ガイド溝１１ｃは、円形凹所１１ｂよりも一段と深く形成されていて、ガイド溝１１ｃの各交差部の４カ所の外側角部が略三角形状を呈する受承壁部１１ｄとなっている。各受承壁部１１ｄは、円盤本体１１ａと同一の厚み寸法となっている。円形凹所１１ｂの中央部には、貫通孔１１ｅが形成されているとともに掛止溝１１ｆが形成されている。また、円形凹所１１ｂの周縁部には、係合突起１１ｇが形成されている。
【００２３】
可動円盤１２は、図２〜図４に示すように、円盤本体１２ａの内側に段付きの円形凹所１２ｂを備え、円形凹所１２ｂの外側大径部である円環状部の内周の全周面、および、内側小径部である円環状部の内周の全周面に内歯が形成されていて、外側大径部円環状部がラチェット１２ｃに形成され、かつ、内側小径部の円環状部が後述するメモリプレート１８が噛合する連結部１２ｄに形成されている。円盤本体１２ａは、固定円盤１１の開口部側に重合された際には、その円形凹所１１ｂに丁度嵌合する寸法に形成されている。また、円形凹所１２ｂの中央部には固定円盤１１の貫通孔１１ｅに対向する円筒状ボス１２ｅが形成されている。
【００２４】
カムプレート１５は、長方形状のプレート本体１５ａの上下の縁部の中央部に係合突起部１５ｂを備えるとともに、係合突起部１５ｂを挟んで左右の部位に凹凸状の受承カム部１５ｃを備えている。また、プレート本体１５ａの中央部には、後述する操作アーム１７が嵌合する嵌合穴１５ｄが形成されている。カムプレート１５は、固定円盤１１のガイド溝１１ｃにおける十字状に交差する交差部に、横方向へ移動可能に嵌合される。
【００２５】
スライドポール１６は門形形状を呈するもので、図２〜図４に示すように、先端側に外歯１６ｂを有するポール本体１６ａと、ポール本体１６ａの外歯１６ｂとは反対側の後端（組付けた状態では径内方側）から延びる左右一対の脚部１６ｃ，１６ｄを備えている。ポール本体１６ａの外歯１６ｂは、可動円盤１２のラチェット１２ｃに噛合可能に構成されている。また、ポール本体１６ａの一方の脚部１６ｄの内側面には、内方へ突出する係合突起部１６ｅが形成されている。
【００２６】
各ポール１６は、カムプレート１５を挟んで、固定円盤１１のガイド溝１１ｃにおける交差部の上下の部位に上下方向へ移動可能に嵌合されて、各脚部１６ｃ，１６ｄにて、カムプレート１５の各受承カム部１５ｃに受承される。各スライドポール１６は、この組付け状態においては、係合突起部１６ｅをカムプレート１５の係合突起部１５ｂに対向して係合し得る位置にある。また、一方のスライドポール１６には、組付けた状態で後述するメモリプレート１８側に突出する連結突起１６ｆが形成されている。
【００２７】
操作アーム１７は、図２〜図４に示すように、円筒状本体１７ａに外方へ突出する係合アーム部１７ｂを備えるとともに、円筒状本体１７ａの内周にスプラインを備えている。操作アーム１７は、操作軸１３上にスプライン嵌合して一体回転可能に組付けられて、カムプレート１５の嵌合孔１５ｅに嵌合し、係合アーム部１７ｂが嵌合孔１５ｅの内周面の一部に係合して、カムプレート１５を回転すべく機能する。
【００２８】
メモリプレート１８は、円板状本体１８ａの外周面に歯部１８ｂを備えるとともに、円板状本体１８ａの外周縁部に、同外周縁に沿って延びる円弧状溝１８ｃと、固定円盤１１に設けた係合突起１１ｇに対向し得る部位に係合凹所１８ｄを備え、さらには、可動円盤１２の円筒状のボス部１２ｅに嵌合する円形穴１８ｅを備えている。円弧状溝１８ｃは、径方向に小幅の長尺溝部１８ｃ1と、長尺溝部１８ｃ1の先端部に位置する径方向に大幅の短尺溝部１８ｃ2とからないるもので、円弧状溝１８ｃには、組付け状態において、一方のポール１６に設けた連結突起１６ｆが嵌合する。これにより、同スライドポール１６は連結突起１６ｆを介してメモリプレート１８に連結し、連結突起１６ｆが長尺溝部１８ｃ1内に位置している場合には、長尺溝部１８ｃ1に沿って相対的に摺動し、連結突起１６ｆが短尺溝部１８ｃ2内に位置する場合にのみ径方向へ進退する。
【００２９】
板バネ１９は、円環状を呈するもので、バネ本体１９ａの中央部には、可動円盤１２の円筒状ボス部１２ｅに嵌合する円形穴１９ｂを備えている。
【００３０】
スパイラルスプリング２１は所定の巻き数を有するもので、図４に示すように、内端部２１ａは方形状に巻回されており、かつ、外端部２１ｂは外方へ突出している。内端部２１ａは、操作アーム１７の円筒状本体１７ａに丁度外嵌できる寸法に形成され、かつ、外端部２１ｂは固定円盤１１の掛止溝１１ｆの一方に掛止し得る寸法に形成されている。
【００３１】
セットプレート２２は、図４に示すように、環状のプレート本体２２ａの外周縁部に筒部２２ｂを備えているもので、固定円盤１１と可動円盤１２を互いに重合された状態において、可動円盤１２側から固定円盤１１の外周側に嵌合し得る寸法に形成されている。セットプレート２２は、可動円盤１２および固定円盤１１に外嵌した状態で、図１に示すように、筒部２２ｂの先端部をかしめて、固定円盤１１および可動円盤１２を互いに結合するようになっている。
【００３２】
各押圧ピン２３は、図２〜図４に示すように、固定円盤１１の円盤本体１１ａの３箇所の部位に植設されているもので、脚部２３ａが円盤本体１１ａの内外を進退可能に貫通している。各押圧ピン２３においては、図３に示すように、頭部２３ｂがロアアームＡ1の貫通孔ａ1を貫通していて、第２操作レバー２４の内側面とメモリプレート１８の一側面に当接して位置している。
【００３３】
これらの各構成部材は、例えば下記の順序で組付けられて、図１〜図３に示す構造のリクライニング装置を構成している。すなわち、固定円盤１１の貫通孔１１ｅに支持軸１３を貫通し、貫通した支持軸１３上に、スパイラルスプリング２１、操作アーム１７、カムプレート１５、各ポール１６、メモリプレート１８、板バネ１９、および可動円盤１２をこの順序で組付け、次いで、セットプレート２２を可動円盤１２側から固定円盤１１の外周に嵌合し、セットプレート２２の筒部２２ｂの先端部を図１に示すようにかしめる。これにより、リクライニング装置が組立てられる。
【００３４】
組立てられた当該リクライニング装置Ｒにおいては、図１〜図３に示すように、可動円盤１２がアッパアームＡ2に組付けられ、固定円盤１１がロアアームＡ1に組付けられるとともに、操作軸１３上に第２操作レバー２４、スパイラルスプリング２５、および第１操作レバー１４が組付けられる。なお、ロアアームＡ1をシートクッションの後端部に組付け、かつ、アッパアームＡ2をシートバックの下端部に組付けることにより、リクライニングシートが構成される。
【００３５】
この組付け状態においては、スパイラルスプリング２１の外端部２１ｂは固定円盤１１の掛止溝１１ｆの一方に掛止されていて、操作アーム１７の筒状本体１７ａはスパイラルスプリング２１の内端部２１ａ内に挿入されている。カムプレート１５は、固定円盤１１のガイド溝１１ｃ内にて横方向に摺動可能に配置されて操作アーム１７に外嵌し、操作アーム１７の係合アーム１７ｂがカムプレート１５の嵌合孔１５ｄに嵌合している。また、各スライドポール１６は、固定円盤１１のガイド溝１１ｃ内にてカムプレート１５の上下の部位に半径方向へ摺動可能に位置している。メモリプレート１８は、板バネ１９とともに、可動円盤１２の円筒状ボス１２ｅ上に嵌合していて、板バネ１９の軸方向のバネ力により、カムプレート１５および各スライドポール１６の側面に当接している。
【００３６】
また、この組付け状態においては、各スライドポール１６は、固定円盤１１の受承壁部１１ｄで周方向の移動を規制されていて、その両脚部１６ｃ，１６ｄにてカムプレート１５の各受承カム部１５ｃに受承され、その係合突起部１６ｅがカムプレート１５の係合突起部１５ｂに対向している。また、一方のスライドポール１６に設けた連結突起１６ｆは、メモリプレート１８の円弧状溝１８ｃに嵌合して短尺溝部１８ｃ2に位置している。カムプレート１５は、操作アーム１７を介して受けるスパイラルスプリング２１の周方向のバネ力により図示左方へ移動していて、各スライドポール１６の各脚部１６ｃ，１６ｄを各受承カム部１５ｃの凸部にて受承し、各スライドポール１６を前進させてラチェット１２ｃの歯部の一部に噛合させている。
【００３７】
また、この組付け状態においては、メモリプレート１８は板バネ１９の軸方向のバネ力により可動円盤１２の連結部１２ｄとは離間していて、図３に示すように、各押圧ピン２３の脚部２３ａを先端側から押圧して、その頭部２３ｂを第２操作レバー２４の内面に当接させている。また、メモリプレート１８は、その係合凹所１８ｄを固定円盤１１の係合突起１１ｇに係合して、固定円盤１１に連結状態にある。各押圧ピン２３の頭部２３ｂは、第２操作レバー２４が非操作状態にある場合には同操作レバー２４の内面に設けた凹所２４ａに位置し、第２操作レバー２４が回動操作されると同操作レバー２４の平面部２４ｂに位置して軸方向に押動され、メモリプレート１８を板バネ１９に抗して軸方向に押動して可動円盤１２の連結部１２ｄに連結する。
【００３８】
第１操作レバー１４と第２操作レバー２４においては、第１操作レバー１４は操作軸１３に対して一体回転可能に組付けられており、第２操作レバー２４は操作軸１３に対して回転可能に組付けられている。第２操作レバー２４は、前方に延びる前側レバー部２４ｃと後方へ延びる後側レバー部２４ｄを備えるとともに、前側レバー部２４ｃの根本部に掛止片部２４ｅを備えている。第２操作レバー２４の掛止片部２４ｅは、同操作レバー２４を回動操作したとき第１操作レバー１４の中間部に掛止して、同操作レバー１４を一体に回動操作すべく機能する。
【００３９】
次ぎに、当該リクライニング装置Ｒの作動について、図５〜図７に基づいて説明する。なお、図５〜図７においては、同図（ａ）はラチェット１２ｃ、カムプレート１５、スライドポール１６、各操作レバー１４，２４の動作関係を示す正面視的説明図であり、同図（ｂ）はその断面図であり、同図（ｃ）はラチェット１２ｃ、スライドポール１６、メモリプレート１８の動作関係を示す正面視的説明図である。
【００４０】
当該リクライニング装置Ｒは、第１操作レバー１４および第２操作レバー２４が共に非操作状態にある場合には図１〜図３に示す状態にあって、図５に示すように、カムプレート１５は両スライドポール１６を前進させてラチェット１２ｃに噛合させて、可動円盤１２を固定円盤１１に対してロックしている。これにより、リクライニングシートにおいては、シートバックがシートクッションに対して起立状態に保持されている。この場合、メモリプレート１８は固定円盤１１側に連結されている。一方のスライドポール１６においては、図５（ｃ）に示すように、その連結突起１６ｆがメモリプレート１８の円弧溝１８ｃにおける短尺溝部１８ｃ2に位置していて、ラチェット１２ｃに対して進退可能な状態にあって、可動円盤１２の固定円盤１１に対するロックを解除可能な状態にある。
【００４１】
このため、第１操作レバー１４を回動操作すれば、操作軸１３がスパイラルスプリング２１に抗して回転し、操作アーム１７を介してカムプレート１５を図示右方へ摺動させる。これにより、各スライドポール１６の脚部１６ｃ，１６ｄは、カムプレート１５の受承カム部１５ｃにおける凹部に移行するとともに、カムプレート１５の係合突起部１５ｂがスライドポール１６の係合突起部１６ｅに係合して、スライドポール１６を操作軸１３側に後退させる。この結果、スライドポール１６はラチェット１２ｃから離間して可動円盤１２の固定円盤１１に対するロック状態が解除され、可動円盤１２は固定円盤１１に対して回転可能となる。
【００４２】
これにより、シートバックは前後方向に傾動可能となり、シートバックのシートクッションに対する傾斜角度を任意に調整することができる。この調整時においては、メモリプレート１８は固定円盤１１に連結されて一体であって、一方のスライドポール１６とメモリプレート１８との位置関係は不変であり、スライドポール１６は進退可能な状態にある。このため、第１操作レバー１４の回動操作を解除すれば、スパイラルスプリング２１の周方向のバネ力によりカムプレート１５が図示左方に摺動して、各スライドポール１６をラチェット１２ｃに対して前進させて、ラチェット１２ｃの歯部の一部に噛合させる。この結果、可動円盤１２は固定円盤１１に対してロックされ、シートバックはその調整位置にてシートクッションに保持される。
【００４３】
当該リクライニング装置Ｒにおいて、シートバックを前方へ傾倒させる場合には、第２操作レバー２４を回動操作する。第２操作レバー２４の回動操作は、前側レバー部２４ｃを引上げ操作することによっても、また、後側レバー部２４ｄを踏込み操作することによっても可能である。第２操作レバー２４の回動操作により、第１操作レバー１４が連動して回動操作される。
【００４４】
第２操作レバー２４を回動操作すれば、図６に示すように、各押圧ピン２３の頭部２３ｂが第２操作レバー２４の凹所２４ａから平面部２４ｂに移行して、メモリプレート１８を板バネ１９に抗して軸方向に押動し、メモリプレート１８を固定円盤１１の係合突起部１１ｇから離間させるとともに、可動円盤１２の連結部１２ｄに噛合させて可動円盤１２に連結させる。メモリプレート１８は、可動円盤１２への連結時には、連結直前のスライドポール１６との位置関係を保持した状態で可動円盤１２に連結されることから、シートバックのその時点での起立位置を記憶する。
【００４５】
また、第１操作レバー１４の回動操作により、操作軸１３がスパイラルスプリング２１に抗して回転し、操作アーム１７を介してカムプレート１５を図示右方へ摺動させる。これにより、各スライドポール１６の脚部１６ｃ，１６ｄは、カムプレート１５の受承カム部１５ｃにおける凹部に移行するとともに、カムプレート１５の係合突起部１５ｂがスライドポール１６の係合突起部１６ｅに係合して、スライドポール１６を操作軸１３側に後退させる。この結果、スライドポール１６はラチェット１２ｃから離間して可動円盤１２の固定円盤１１に対するロック状態が解除され、また、一方のスライドポール１６の連結突起１６ｆは、メモリプレート１８における円弧溝１８ｃの長尺溝部１８ｃ1と同一円周上に位置する。
【００４６】
これにより、シートバックは前後方向に傾動可能となり、シートバックはスパイラルスプリング２５のバネ力で前方へ傾倒する。シートバックの傾倒時には、一方のスライドポール１６の連結突起１６ｆは、図６（ｃ）に示すように、メモリプレート１８における円弧溝１８ｃの長尺溝部１８ｃ1内を移行し、また、この間、両スライドポール１６は、ラチェット１２ｃ側への前進を規制されて、可動円盤１２の固定円盤１１に対するロック解除状態を保持し、メモリプレート１８の可動円盤１２との一体回転を許容する。シートバックの傾倒後には、第２操作レバー２４は回動復帰しているが、第１操作レバー１４は回動操作位置にあって、可動円盤１２の固定円盤１１に対するロック解除状態が保持されている。
【００４７】
傾倒状態にあるシートバックを起立状態に復帰させるには、シートバックをスパイラルスプリング２５のバネ力に抗して後方へ回動する。シートバックが第２操作レバー２４の復帰位置に対応する位置に回動されると、図７（ｂ）に示すように、固定円盤１１に植設されている各押圧ピン２３の頭部２３ｂが第２操作レバー２４の凹所２４ａに位置するとともに、固定円盤１１の係合突起１１ｇがメモリプレート１８の係合凹所１８ｄに対向する。このため、メモリプレート１８は、各押圧ピン２３からの押圧状態から解放されて、板バネ１９の軸方向のバネ力により固定円盤１１側に押動され、可動円盤１２の連結を解除されて固定円盤に連結される。
【００４８】
また、メモリプレート１８の固定円盤１１側への連結時には、一方のスライドポール１６の連結突起１６ｆは、メモリプレート１８における円弧溝１８ｃの短尺溝部１８ｃ2に復帰していて、各スライドポール１６はラチェット１２ｃ側へ前進してラチェット１２ｃの歯部の一部に噛合して、可動円盤１２を固定円盤１１に、シートバックの前方への傾倒直前の位置でロックする。これにより、シートバックは、前方への傾倒直前の起立位置に復帰して、起立状態を保持される。
【００４９】
このように、当該リクライニング装置Ｒによれば、使い勝手のよいリクライニングシートを構成することができるが、当該リクライニング装置Ｒを構成するメモリ機構は、１枚のメモリプレート１８を主要構成部材として、既存のリクライニング装置の内部構造を有効に利用して構成されている。このため、内部構造が簡単で、組付け性も良好なメモリ機構付きのリクライニング装置を構成することができるとともに、メモリ機構装置を内蔵させたことによる大型化および装置の重量増大を抑制することができる。
【図面の簡単な説明】
【図１】本発明に係るリクライニング装置の一部省略縦断正面図である。
【図２】同リクライニング装置の図１における２−２線に沿った縦断面図である。
【図３】同リクライニング装置の図１における３−３線に沿った縦断面図である。
【図４】同リクライニング装置を分解した斜視図である。
【図５】同リクライニング装置におけるラチェット、カムプレート、スライドポール、各操作レバーの一動作関係を示す正面視的説明図（ａ）、同断面図（ｂ）、およびラチェット、スライドポール、メモリプレートの一動作関係を示す正面視的説明図（ｃ）である。
【図６】同リクライニング装置におけるラチェット、カムプレート、スライドポール、各操作レバーの他の一動作関係を示す正面視的説明図（ａ）、同断面図（ｂ）、およびラチェット、スライドポール、メモリプレートの他の一動作関係を示す正面視的説明図（ｃ）である。
【図７】同リクライニング装置におけるラチェット、カムプレート、スライドポール、各操作レバーのさらに他の一動作関係を示す正面視的説明図（ａ）、同断面図（ｂ）、およびラチェット、スライドポール、メモリプレートのさらに他の一動作関係を示す正面視的説明図（ｃ）である。
【符号の説明】
Ｒ…リクライニング装置、Ａ1…ロアアーム、Ａ2…アッパアーム、１１…固定円盤、１１ａ…円盤本体、１１ｂ…円形凹所、１１ｃ…ガイド溝、１１ｄ…受承壁部、１１ｅ…貫通孔、１１ｆ…掛止溝、１１ｇ…係合突起、１２…可動円盤、１２ａ…円盤本体、１２ｂ…円形凹所、１２ｃ…ラチェット、１２ｄ…連結部、１２ｅ…円筒状ボス、１３…支持軸、１４…第１操作レバー、１５…カムプレート、１５ａ…プレート本体、１５ｂ…係合突起部、１５ｃ…受承カム部、１５ｄ…嵌合穴、１６…スライドポール、１６ａ…ポール本体、１６ｂ…外歯、１６ｃ，１６ｄ…脚部、１６ｅ…係合突起部、１６ｆ…連結突起、１７…操作アーム、１７ａ…円筒状本体、１７ｂ…係合アーム部、１８…メモリプレート、１８ａ…円板状本体、１８ｂ…歯部、１８ｃ…円弧状溝、１８ｃ1…長尺溝部、１８ｃ2…短尺溝部、１８ｄ…係合凹所、１８ｅ…円形穴、１９…板バネ、１９ａ…バネ本体、１９ｂ…円形穴、２１…スパイラルスプリング、２１ａ…内端部、２１ｂ…外端部、２２…セットプレート、２２ａ…プレート本体、２２ｂ…筒部、２３…押圧ピン、２３ａ…脚部、２３ｂ…頭部、２４…第２操作レバー、２４ａ…凹所、２４ｂ…平面部、２４ｃ…前側レバー部、２４ｄ…後側レバー部、２４ｅ…掛止片部、２５…スパイラルスプリング。
【図１】
0004622104.tif 000002
【図２】
0004622104.tif 000003
【図３】
0004622104.tif 000004
【図４】
0004622104.tif 000005
【図５】
0004622104.tif 000006
【図６】
0004622104.tif 000007
【図７】
0004622104.tif 000008